(57)【特許請求の範囲】
【請求項１】
電子部品を収納する端末本体と、
前記端末本体の内部に収納、引き出し可能に設けられたアンテナと、
コネクタプラグが挿入できる挿入口を有し、前記端末本体に取り付けられたコネクタソケットと、
前記アンテナが前記端末本体の内部に収納されたとき、前記端末本体の外部に露出されるように、前記アンテナの一端部に設けられたアンテナキャップとを備え、
前記アンテナキャップは、前記コネクタソケットの前記挿入口の外周に沿って環状に形成された凸部を有し、前記アンテナが前記端末本体に収納されたとき、前記コネクタソケットの前記挿入口を被覆するように設けられた通信端末。
【請求項２】
前記アンテナは、当該アンテナの軸を中心に回転できるように、前記端末本体に取り付けられており、
前記アンテナキャップは、前記アンテナを当該アンテナの軸を中心に回転することにより、前記アンテナが前記端末本体に収納されたときに前記アンテナキャップが前記コネクタソケットの前記挿入口を被覆しない状態に調整できるように設けられている請求項１に記載の通信端末。
【請求項３】
前記アンテナが前端末本体に収納されたとき、前記コネクタソケットと前記アンテナキャップは、互いに隣接して配置された請求項１または２に記載の通信端末。
【請求項４】
前記アンテナキャップは、前記コネクタソケットの前記挿入口の形状に対応して設けられた請求項１〜３のいずれか１項に記載の通信端末。
【発明の詳細な説明】
【技術分野】
【０００１】
本発明は、通信端末に関し、端末本体の内部に収納、引き出し可能に取り付けられたアンテナを有するものに関する。
【背景技術】
【０００２】
近年、通信端末として、例えば携帯電話端末や携帯情報端末やＰＨＳ（Personal Handy-phone System）端末などが知られている。このような通信端末には、端末本体の内部に収納、引き出し可能な伸縮式アンテナが設けられることがある。また、例えばＵＳＢ（Universal Serial Bus）プラグのようなコネクタプラグが挿入可能なコネクタソケットが設けられることがある。
【０００３】
図６および図７は、一般的な通信端末の構成を模式的に示す図である。図６は、アンテナを端末本体に収納した状態を示す図である。図７は、アンテナを端末本体から引き出した状態を示す図である。なお、図６および図７では、アンテナおよびコネクタソケットの周辺について端末本体を断面で示している。
【０００４】
図６および図７に示されるように、通信端末９００は、端末本体９１０と、伸縮式のアンテナ９２０と、アンテナキャップ９３０と、コネクタソケット９４０と、コネクタキャップ９５０とを備えている。
【０００５】
アンテナ９２０は、端末本体９１０の開口部９１１を介して、端末本体９１０の内部に収納、引き出し可能に、設けられている。
【０００６】
アンテナキャップ９３０は、アンテナ先端部の保護のためと通信端末９００のデザインに美観を持たせるために、アンテナ９２０の先端部に取り付けられている。
【０００７】
また、コネクタカバー９５０は、防塵のためと通信端末９００のデザインに美観を持たせるために、コネクタソケット９４０を被覆するように、端末本体９１０に取り付けられる。このとき、コネクタカバー９５０には、カバー軸９５１が設けられている。また、カバー軸９５１の先端には取り付け部９５２が設けられている。なお、取り付け部９５１は、爪形状に形成されている。取り付け部９５１を端末本体９１０の取り付け穴９１３に取り付けたとき、取り付け部９５２の爪が端末本体９１０の内側に保持される。これにより、コネクタカバー９５０を端末本体９１０に保持することができる。この結果、コネクタカバー９５０の紛失を防止することができる。
【０００８】
図６に示されるように、アンテナ９２０を端末本体９１０の内部に収納したとき、アンテナキャップ９３０は、端末本体９１０の外部に露出される。
【０００９】
また、図６では、コネクタソケット９４０を使用しない状態を示している。このとき、図６に示されるように、コネクタカバー９５０がコネクタソケット９４０の挿入口９４１を被覆している。
【００１０】
図７に示されるように、アンテナ９２０を端末９１０から引き出したとき、アンテナ９２０が端末本体９１０の外部に露出される。このとき、アンテナストッパー９２１を設けることにより、アンテナ９２０が端末本体９１０から抜け落ちないようにしている。
【００１１】
また、図７では、コネクタソケット９４０を使用した状態を示している。このとき、図７に示されるように、コネクタプラグ５００がコネクタソケット９４０の挿入口９４１に挿入される。コネクタ５００には配線５１０が設けられており、外部の機器（不図示）に接続されている。コネクタカバー９５０は、コネクタソケット９４０から取り外されて、コネクタプラグ５００と干渉しないように、取り付け部９５１を中心に回転されている。
【００１２】
なお、関連する技術として、例えば特許文献１には、伸縮アンテナの先端部にアンテナキャップが設けられた携帯電話機が開示されている。また、特許文献２および特許文献３には、通信端末に設けられたコネクタをコネクタカバーにより被覆する技術が開示されている。
【先行技術文献】
【特許文献】
【００１３】
【特許文献１】特開平９−２６０９２３号公報
【特許文献２】特開２００４−２２１９１１号公報
【特許文献３】特開２０１０−１４１５８８号公報
【発明の概要】
【発明が解決しようとする課題】
【００１４】
しかしながら、近年、通信端末の諸機能が複雑化するとともに、通信端末の小型化への要求から高密度な実装が要求されてきている。このため、コネクタカバー９５０を通信端末９１０に接続するためのカバー軸９５１を実装するスペースを、端末本体９１０内に確保することが困難になってきているという問題があった。また、コネクタソケット９４０は、前述したＵＳＢに限らず、ＨＤＭＩ（High-Definition Multimedia Interface（高精細度マルチメディアインターフェース））や、イヤホンジャックなど、幅広く適用されてきている。このように、近年、ユーザーインターフェイスが増加することに伴って、端末本体９１０に実装するコネクタソケット９４０も増加してきており、コネクタカバー９５０自体を独立して設けるスペースを確保することが難しくなってきている。一方で、単にコネクタカバー９５０を無くした場合、コネクタソケット９４０を塵や埃から保護することはできない。
【００１５】
本発明は、このような事情に鑑みてなされたものであり、本発明の目的は、コネクタソケット専用のカバーを無くしつつも、不使用時にはコネクタソケットを塵や埃などから保護でき、さらには端末本体内部の電子部品等の実装スペースを広く確保することができる通信端末を提供することにある。
【課題を解決するための手段】
【００１６】
本発明の通信端末は、電子部品を収納する端末本体と、前記端末本体の内部に収納、引き出し可能に設けられたアンテナと、コネクタプラグが挿入できる挿入口を有し、前記端末本体に取り付けられたコネクタソケットと、前記アンテナが前記端末本体の内部に収納されたとき、前記端末本体の外部に露出されるように、前記アンテナの一端部に設けられたアンテナキャップとを備え、前記アンテナキャップは、前記コネクタソケットの前記挿入口の外周に沿って環状に形成された凸部を有し、前記アンテナが前記端末本体に収納されたとき、前記コネクタソケットの前記挿入口を被覆するように設けられている。
【発明の効果】
【００１７】
本発明にかかる通信端末によれば、コネクタソケット専用のカバーを無くしつつも、不使用時にはコネクタソケットを塵や埃などから簡単な構成で保護できる。
【図面の簡単な説明】
【００１８】
【図１】本発明の第１の実施の形態における通信端末の構成を模式的に示す図であって、アンテナを端末本体に収納した状態を示す図である。
【図２】本発明の第１の実施の形態における通信端末の構成を模式的に示す図であって、アンテナを端末本体から引き出した状態を示す図である。
【図３】本発明の第１の実施の形態における通信端末の構成を模式的に示す図であって、アンテナを端末本体に収納しつつ、コネクタプラグをコネクタソケットに挿入した状態を示す図である。
【図４】本発明の第２の実施の形態における通信端末の構成を示す拡大図であって、アンテナキャップ周辺の構成を拡大して示す図である。
【図５】本発明の第２の実施の形態における通信端末で使用されるアンテナキャップの構成を拡大して示す拡大平面図である。
【図６】一般的な通信端末の構成を模式的に示す図であって、アンテナを端末本体に収納した状態を示す図である。
【図７】一般的な通信端末の構成を模式的に示す図であって、アンテナを端末本体から引き出した状態を示す図である。
【発明を実施するための形態】
【００１９】
＜第１の実施の形態＞
本発明の第１の実施の形態における通信端末１００について、図に基づいて説明する。
【００２０】
図１および図２は、通信端末１００の構成を模式的に示す図である。また、図１は、アンテナ１２０を端末本体１１０に収納した状態を示す図で、図２は、アンテナ１２０を端末本体１１０から引き出した状態を示す図である。
【００２１】
図１および図２に示されるように、通信端末１００は、端末本体１１０と、伸縮式のアンテナ１２０と、アンテナキャップ１３０と、コネクタソケット１４０とを備えている。
【００２２】
ここで、図１と図６を比較する。図６では、通信端末１００がコネクタカバー９５０を有している点で、通信端末９００がコネクタカバーを有していない図１と相違する。これに伴って、図１では、コネクタカバーの取り付け部を保持するための取り付け穴が端末本体１１０に設けられていない。
【００２３】
図１および図２に示されるように、端末本体１１０は、通信端末１００を動作させるための電子部品を収納する。端末本体１１０は、例えば樹脂成型品によって形成される。
【００２４】
伸縮式のアンテナ１２０は、端末本体１１０の開口部１１１を介して、端末本体１１０の内部に収納、引き出し可能に、設けられている。アンテナ１２０の材料には、例えばステンレスなどの金属などが用いられる。
【００２５】
アンテナ１２０はアンテナストッパー１２１を備える。このアンテナストッパー１２１はアンテナ１２０の根元部（図１および図２の紙面にて下側）に設けられている。アンテナストッパー１２１は、アンテナ１２０を端末本体１１０から引き出したときに、端末本体１１０の内壁に当接する。これにより、アンテナ１２０が端末本体１１０から抜け落ちることを防止できる。
【００２６】
アンテナキャップ１３０は、アンテナ１２０の先端部（図１および図２の紙面にて上側）に固定して取り付けられている。これにより、アンテナ１２０の先端部を保護しつつ、当該先端部の美観を高めることができる。図１に示されるように、アンテナキャップ１３０は、アンテナ１２０が端末本体１１０に収納されたとき、端末本体１１０の外部に露出される。また、アンテナキャップ１３０は、アンテナ１２０が端末本体１１０に収納されたとき、後述のコネクタソケット１４０の挿入口１４１を被覆する。
【００２７】
コネクタソケット１４０は、例えば、ＵＳＢやＨＤＭＩやイヤホンジャックに対応している。また、コネクタソケット１４０は、端末本体１１０の内部に取り付けられている。コネクタソケット１４０は、後述のコネクタプラグ５００が挿入できる挿入口１４１を有している。コネクタソケット１４０は、アンテナ１２０が端末本体１１０に収納されたとき、アンテナキャップ１３０により被覆される。図２に示されるように、コネクタソケット１４０の挿入口１４１には、コネクタプラグ５００が挿入される。コネクタプラグ５００は、コネクタソケット１４０の挿入口１４１に対応するように形成されている。
【００２８】
次に、通信端末１００の使用方法について、図に基づいて具体的に説明する。
【００２９】
まず、アンテナ１２０を端末本体１１０に収納した場合について図１に基づいて説明する。
【００３０】
図１に示されるように、アンテナ１２０を端末本体１１０の内部に収納したとき、アンテナキャップ１３０は、端末本体１１０の外部に露出される。
【００３１】
また、図１では、コネクタソケット１４０を使用しない状態を示している。このとき、図１に示されるように、コネクタカバー１５０がコネクタソケットの挿入口１４１を被覆している。これにより、コネクタソケット１４０を使用していないときに、コネクタソケットの挿入口１４１から端末本体１１０の内部に塵や埃などが侵入することを抑止することができる。
【００３２】
図３は、アンテナ１２０を端末本体１１０に収納しつつ、コネクタプラグ５００をコネクタソケット１４０に挿入した状態を示す図である。
【００３３】
ここで、アンテナ１２０は、当該アンテナ１２０の軸を中心に回転できるように、端末本体１１０に取り付けられている。アンテナキャップ１３０は、前述の通り、アンテナ１２０の先端部に固定されているので、アンテナキャップ１３０は、アンテナ１２０とともに回転できる。アンテナキャップ１３０は、アンテナ１２０を当該アンテナ１２０の軸を中心に回転することにより、アンテナ１２０が端末本体１１０に収納されたときにアンテナキャップ１３０がコネクタソケット１４０の挿入口１４１を被覆しない状態に調整できるように設けられている。
【００３４】
図３に示されるように、アンテナ１２０を端末本体１１０の内部に収納したときであっても、アンテナキャップ１３０をアンテナ１２０の軸を中心に回転することにより、コネクタソケット１４０の挿入口１４１を露出することができる。このため、アンテナ１２０を端末本体１１０の内部に収納したときであっても、コネクタプラグ５００をコネクタソケット１４０の挿入口１４１に挿入することができる。
【００３５】
次に、アンテナ１２０を端末本体１１０から引き出した場合について図２に基づいて説明する。
【００３６】
図２に示されるように、アンテナ１２０を端末本体１１０から引き出したとき、アンテナ１２０が端末本体１００の外部に露出される。また、アンテナ１２０を引き出した際に、アンテナストッパー１２１が、端末本体１１０の内壁に当接する。これにより、アンテナ１２０が端末本体１１０から抜け落ちることを防止できる。
【００３７】
図２では、図７と異なり、コネクタソケット１４０を使用していない状態を示している。この場合、図２に示されるように、コネクタソケット１４０の挿入口１４１が端末本体１１０の外部で露出される。したがって、コネクタプラグ５００をコネクタソケット１４０の挿入口１４１に容易に挿入することができる。
【００３８】
以上の通り、本発明の第１の実施の形態における通信端末１００は、端末本体１１０と、アンテナ１２０と、コネクタソケット１４０と、アンテナキャップ１３０とを備えている。端末本体１１０は、電子部品を収納する。アンテナ１２０は、端末本体１１０の内部に収納、引き出し可能に設けられている。コネクタソケット１４０は、コネクタプラグ５００が挿入できる挿入口１４１を有し、端末本体１１０に取り付けられている。アンテナキャップ１３０は、アンテナ１２０が端末本体１１０の内部に収納されたとき、端末本体１１０の外部に露出されるように、アンテナ１２０の一端部に設けられている。そして、アンテナキャップ１３０は、アンテナ１２０が端末本体１１０に収納されたとき、コネクタソケット１４０の挿入口１４１を被覆するように設けられている。
【００３９】
このように、アンテナキャップ１３０は、アンテナ１２０が端末本体１１０に収納されたとき、コネクタソケット１４０の挿入口１４１を被覆するので、コネクタソケット１４０のカバーも兼ね備えている。したがって、通信端末１００では、一般的な通信端末９００のように、コネクタソケット専用のカバーを設けなくても、不使用時にはコネクタソケット１４０を塵や埃などから保護できる。また、通信端末１００では、アンテナキャップ１３０はコネクタソケット１４０のカバーも兼ね備えているので、一般的な通信端末９００のように、コネクタカバー１５０を通信端末１１０Ａに接続するためのカバー軸１５１を設ける必要も無い。したがって、不使用時にはコネクタソケットを塵や埃などから簡単な構成で保護できる。
【００４０】
以上の通り、本発明の第１の実施の形態における通信端末１００によれば、コネクタソケット専用のカバーを無くしつつも、不使用時にはコネクタソケットを塵や埃などから簡単な構成で保護できる。
【００４１】
また、一般的な通信端末９００のように、コネクタカバーのカバー軸１５１を設ける必要が無くなったため、コネクタソケット１４０を被覆するアンテナキャップ１３０を簡単に構成できる。さらに、コネクタカバーのカバー軸１５１が無くなった分、端末本体１１０内部の電子部品等の実装スペースを広く確保することができる。また、アンテナキャップ１３０にコネクタソケット１４０を被覆する機能を付加することで、部品点数を削減できる。これに伴って、組み立て工数や生産コストを削減することができる。
【００４２】
また、本発明の第１の実施の形態における通信端末１００において、アンテナ１２０は、当該アンテナ１２０の軸を中心に回転できるように、端末本体１１０に取り付けられている。また、アンテナキャップ１３０は、アンテナ１２０を当該アンテナ１２０の軸を中心に回転することにより、アンテナ１２０が端末本体１１０に収納されたときにアンテナキャップ１３０がコネクタソケット１４０の挿入口１４１を被覆しない状態に調整できるように設けられている。これにより、アンテナ１２０が端末本体１１０の内部に収納された状態で、コネクタソケット１４０の挿入口１４１を露出することができる。この結果、アンテナ１２０が端末本体１１０の内部に収納された状態であっても、コネクタプラグ５００をコネクタソケット１４０の挿入口１４１に挿入することができる。
【００４３】
本発明の第１の実施の形態における通信端末１００において、アンテナ１２０が端末本体１１０に収納されたとき、コネクタソケット１４０とアンテナキャップ１３０は、互いに隣接して配置されている。これにより、アンテナキャップ１３０をコンパクトに形成できる。
【００４４】
本発明の第１の実施の形態における通信端末１００において、アンテナキャップ１３０は、コネクタソケット１４０の挿入口１４１の形状に対応して設けられている。これにより、アンテナキャップ１３０と、コネクタソケット１４０の挿入口１４１との間の間隙を少なくすることができる。この結果、コネクタソケット１４０を使用しない時において、コネクタソケット１４０から端末本体１１０の内部に塵や埃などが侵入することをより確実に防止できる。
【００４５】
＜第２の実施の形態＞
本発明の第２の実施の形態における通信端末２００の構成について、図に基づいて説明する。
【００４６】
図４は、通信端末２００の構成を示す拡大図であって、アンテナキャップ１３０Ａ周辺の構成を拡大して示す図である。なお、図４では、アンテナ１２０を端末本体１１０の内部に収納した状態を示している。したがって、図４は、図１に対応する。図５は、通信端末２００で使用されるアンテナキャップ１３０Ａの構成を拡大して示す拡大平面図である。なお、図４および図５では、図１〜３で示した各構成要素と同等の構成要素には、図１〜３に示した符号と同等の符号を付している。
【００４７】
図４に示されるように、通信端末２００は、端末本体１１０と、伸縮式のアンテナ１２０と、アンテナキャップ１３０Ａと、コネクタソケット１４０とを備えている。
【００４８】
ここで、図１と図４を比較する。図４では、アンテナキャップ１３０が凸部１３１を有している点で、図１と相違する。
【００４９】
図５は、通信端末２００で使用されるアンテナキャップ１３０Ａの構成を拡大して示す拡大平面図である。図５は、図４の矢印Ｐの方向で、アンテナキャップ１３０Ａを視た図である。なお、図５では、便宜上、アンテナキャップ１３０Ａの構成に加えて、アンテナ１２０の切断面も示している。
【００５０】
図５に示されるように、凸部１３１がアンテナキャップ１３０に形成されている。この凸部１３１は、コネクタソケット１４０の挿入口１４１の形状に対応して形成されている。より具体的には、凸部１３１は、コネクタソケット１４０の挿入口１４１の外周に沿って環状に形成されている。凸部１３１は、環状に形成されていることから、Ｏ（オー）リングとも呼ばれる。アンテナ１２０が端末本体１１０の内部に収納されたとき、凸部１３１がコネクタソケット１４０の挿入口１４１の外周に当接する。これにより、アンテナキャップ１３０Ａとコネクタソケット１４０の挿入口１４１の間の間隙を無くすことができる。
【００５１】
以上の通り、本発明の第２の実施の形態における通信端末２００において、アンテナキャップ１３０Ａは、コネクタソケット１４０の挿入口１４１の外周に沿って環状に形成された凸部１３１を有している。これにより、アンテナ１２０が端末本体１１０の内部に収納されたとき、凸部１３１がコネクタソケット１４０の挿入口１４１の外周に当接する。したがって、アンテナキャップ１３０Ａとコネクタソケット１４０の挿入口１４１の間の間隙を無くすことができる。この結果、通信端末２００では、不使用時にはコネクタソケット１４０を塵や埃などから保護できるばかりでなく、防水構造として機能して水の侵入をも抑止することができる。
【００５２】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００５３】
１００  通信端末
１１０  端末本体
１１１  開口部
１２０  アンテナ
１２１  アンテナストッパー
１３０  アンテナキャップ
１３０Ａ  アンテナキャップ
１３１  凸部
１４０  コネクタソケット
１４１  挿入口
５００  コネクタプラグ
９００  通信端末
【図１】
0005616387.tif 000002
【図２】
0005616387.tif 000003
【図３】
0005616387.tif 000004
【図４】
0005616387.tif 000005
【図５】
0005616387.tif 000006
【図６】
0005616387.tif 000007
【図７】
0005616387.tif 000008